(57)【要約】  端末にロックを掛けて使用できないようにする際に、デバイスの本来的な機能が不使用かどうかの状態を利用して他人の不正使用を防げるという安全性を提供しなければならない。  ユーザ端末１０はデバイス機器２０が使用状態にあるかを判定し、ネットワーク接続していても、デバイス機器２０が非使用中なら、デバイス機器２０からの最後の操作信号から所定の第２の時間後に端末機器１０はロックされる。
2008032493.tif 000002
【特許請求の範囲】
【請求項１】
デバイス機器とネットワーク接続があり、前記デバイス機器が使用中であればロックされず、前記ネットワーク接続が切断されると、所定の第１の時間後にロックされる端末機器であって、
前記デバイス機器が使用状態にあるかを判定し、前記ネットワーク接続していても、デバイス機器が非使用中なら、前記デバイス機器からの最後の操作信号から所定の第２の時間後にロックされることを特徴とする端末機器。
【請求項２】
前記所定の第２の時間よりも短い所定の第３の時間の経過後に、前記デバイス機器にロック予告の報知信号を送信することを特徴とする請求項１記載の端末機器。
【請求項３】
自機の使用に向けての準備状態にあるか否かの判定手段を備える前記デバイス機器から、準備状態にあるときに前記所定の第２の時間よりも短い所定の第４の時間の経過後に、ロックを抑制する制御信号を受け取り、ロックが抑制されることを特徴とする請求項１または２記載の端末機器。
【請求項４】
端末機器とネットワーク接続があり、自機が使用中であれば前記端末機器はロックされず、前記ネットワーク接続が切断されると、前記端末機器は所定の第１の時間後にロックされるデバイス機器であって、
前記端末機器に使用状態にあるかを判定され、前記前記ネットワーク接続していても、非使用中なら、最後の操作信号から所定の第２の時間後に前記端末機器をロックさせることを特徴とするデバイス機器。
【請求項５】
前記所定の第２の時間よりも短い所定の第３の時間の経過後に、前記端末機器からロック予告の報知信号を受信し、ユーザにロック予告を報知することを特徴とする請求項３記載のデバイス機器。
【請求項６】
自機の使用に向けての準備状態にあるか否かの判定手段を備え、準備状態にあれば前記所定の第２の時間よりも短い所定の第４の時間の経過後に、前記端末機器へロックを抑制する制御信号を送ることを特徴とする請求項４または５記載のデバイス機器。
【請求項７】
端末機器とデバイス機器とでネットワーク接続があり、前記デバイス機器が使用中であれば前記端末機器はロックされず、前記ネットワーク接続が切断されると、前記端末機器は所定の第１の時間後にロックされる不正使用防止システムであって、
前記端末機器は前記デバイス機器が使用状態にあるかを判定し、前記ネットワーク接続していても、デバイス機器が非使用中なら、前記デバイス機器からの最後の操作信号から所定の第２の時間後に前記端末機器はロックされることを特徴とする不正使用防止システム。
【請求項８】
前記所定の第２の時間よりも短い所定の第３の時間の経過後に、前記デバイス機器は前記端末機器からロック予告の報知信号を受信し、ユーザにロック予告を報知することを特徴とする請求項１記載の不正使用防止システム。
【請求項９】
前記デバイス機器は、自機の使用に向けての準備状態にあるか否かの判定手段を備え、準備状態にあれば前記所定の第２の時間よりも短い所定の第４の時間の経過後に、前記端末機器へロックを抑制する制御信号を送ることを特徴とする請求項７または８記載の不正使用防止システム。
【請求項１０】
端末機器とデバイス機器とでネットワーク接続があり、前記デバイス機器が使用中であれば前記端末機器はロックされず、前記ネットワーク接続が切断されると、前記端末機器は所定の第１の時間後にロックされる不正使用防止方法であって、
前記端末機器は前記デバイス機器が使用状態にあるかを判定し、前記ネットワーク接続していても、デバイス機器が非使用中なら、前記デバイス機器からの最後の操作信号から所定の第２の時間後に前記端末機器はロックされることを特徴とする不正使用防止方法。
【請求項１１】
前記所定の第２の時間よりも短い所定の第３の時間の経過後に、前記デバイス機器は前記端末機器からロック予告の報知信号を受信し、ユーザにロック予告を報知することを特徴とする請求項７記載の不正使用防止方法。
【請求項１２】
前記デバイス機器は、自機の使用に向けての準備状態にあるか否かの判定手段を備え、準備状態にあれば前記所定の第２の時間よりも短い所定の第４の時間の経過後に、前記端末機器へロックを抑制する制御信号を送ることを特徴とする請求項１０または１１記載の不正使用防止方法。
【請求項１３】
デバイス機器とネットワーク接続があり、前記デバイス機器が使用中であればロックされず、前記ネットワーク接続が切断されると、所定の第１の時間後にロックされる端末機器に、前記デバイス機器が使用状態にあるかを判定し、前記ネットワーク接続していても、デバイス機器が非使用中なら、前記デバイス機器からの最後の操作信号から所定の第２の時間後にロックされる処理を実行させることを特徴とするプログラム。
【請求項１４】
前記所定の第２の時間よりも短い所定の第３の時間の経過後に、前記デバイス機器にロック予告の報知信号を送信する処理を実行させることを特徴とする請求項１３記載のプログラム。
【請求項１５】
自機の使用に向けての準備状態にあるか否かの判定手段を備える前記デバイス機器から、準備状態にあるときに前記所定の第２の時間よりも短い所定の第４の時間の経過後に、ロックを抑制する制御信号を受け取り、ロックが抑制される処理を実行させることを特徴とする請求項１３または１４記載のプログラム。
【請求項１６】
端末機器とネットワーク接続があり、自機が使用中であれば前記端末機器はロックされず、前記ネットワーク接続が切断されると、前記端末機器は所定の第１の時間後にロックされるデバイス機器に、前記端末機器に使用状態にあるかを判定され、前記前記ネットワーク接続していても、非使用中なら、最後の操作信号から所定の第２の時間後に前記端末機器をロックさせる処理を実行させることを特徴とするプログラム。
【請求項１７】
前記所定の第２の時間よりも短い所定の第３の時間の経過後に、前記端末機器からロック予告の報知信号を受信し、ユーザにロック予告を報知する処理を実行させることを特徴とする請求項１５記載のプログラム。
【請求項１８】
自機の使用に向けての準備状態にあるか否かの判定手段を備え、準備状態にあれば前記所定の第２の時間よりも短い所定の第４の時間の経過後に、前記端末機器へロックを抑制する制御信号を送る処理を実行させることを特徴とする請求項１６または１７記載のプログラム。
【発明の詳細な説明】
【技術分野】
【０００１】
本発明は、個人用情報端末機器にロックを掛けて使用できないようにする技術に関するものである。
【背景技術】
【０００２】
携帯電話機などの個人用情報端末機器(以下、「端末」という)では、端末の一部あるいは全部の機能の使用を正規ユーザ以外に許さないようにするために、あらかじめ登録しているユーザを正規ユーザとみなし、登録していないユーザが使用しようとすると端末にロックを掛けて使用できないようにする、という関連する不正使用防止の手法がある。【０００３】
正規ユーザか非正規ユーザかの判定法として、端末以外のあらかじめ登録されたあるモノを保持していれば正規ユーザとみなし、保持していなければ非正規ユーザとみなす、所有物認証という方法がある。【０００４】
このような手法に基づく技術の例として、特許文献１記載の技術がある。これは腕時計を上記の用途のデバイスとし、腕時計と端末とのそれぞれに近距離無線通信インタフェースを備えて、腕時計と端末の間で近距離無線で通信させ、端末が腕時計から定期的に送信される送信パケットを受信できない状態になったときにパスワード入力や生体情報によるユーザ認証を要求し、認証が成功しないときには電源断処理を行うことで不正使用を防止する。【０００５】
しかし、本技術では腕時計と端末とのそれぞれに上記目的専用の近距離無線通信インタフェースを備える必要があり、その分のハードウェアおよびソフトウェア増加により、コストが上昇し装置が高価になる、サイズが大きくなりデザイン的な制約を受ける、重くて使いにくくなるなどのデメリットがあることが課題となっている。【０００６】
このように不正利用防止という目的専用で通信インタフェースを双方に用意することは高価であるため、現実的な解決策として、既存の通信を利用する方法が知られている。この一例として、携帯電話機とペアで使われることのあるヘッドセットなどのデバイスを持っているかを使用することを考える。特許文献２にあるように、例えば、端末とヘッドセット(頭部に装着してイヤホンで音を聞かせる装置)とを音楽信号や音楽再生の制御信号を送受信するためのブルートゥース（ＢＴ）のような標準的に規格化された近距離無線通信で接続し、その接続状態を正規利用の判定のために用いることで不正利用を防止する技術がある。【０００７】
この場合、例えば、携帯電話機からＢＴ接続により音楽を送信し頭部に装着して耳に当てて聞くヘッドセットをロックタイミングの判定に流用する場合のように、もともと他の目的のためにある枠組みを用いることになるため、不正防止専用のコストアップ・サイズ増大などの問題がないという利点がある。【０００８】
ここで、ヘッドセットには、装着検出部が設けられ、この装着検出部にてヘッドセット１０が使用者に装着されているか否かを検出することで、ヘッドセットの使用状態に応じて、無線通信の相手となる音楽再生装置との間の無線通信接続の確立及び切断の制御を自動的に実行し、この処理により、未使用状態時には、ヘッドセットは、音楽再生装置との間の無線接続が自動的に切断されることで省電力が図られる技術が提案されている（例えば、特許文献３参照）。【０００９】
また、機器本体に接続されたマイクとヘッドフォンが一体となった音声入出力のためのデバイスとしてのヘッドセットを通して音声コマンドの入力や音声メッセージの出力を可能とする音声操作機能付きオフィス機器であって、使用開始時にヘッドセットのマイクからの信号の有無を検出する入力信号検出部と、この入力信号検出部の信号の無によってヘッドセットのヘッドフォンから大音量のメッセージ、あるいはブザー音を出力する機能を有する音声出力手段とを有することで、視覚障害者がヘッドセットを効率よく利用することができる技術が提案されている（例えば、特許文献４参照）。【００１０】
また、携帯端末が無線通信装置からの近距離無線信号の信号レベルを監視し、この信号レベルが近距離無線通信の接続状態を維持することができない程度まで低下したとき携帯端末の予め定められた機能の使用制限を行い、携帯端末の近距離無線通信機能部と無線通信装置とは、近距離無線通信が所定時間以上使用されないときに特定の動作モードに移行し、特定の動作モードでは、携帯端末が無線通信装置からの無線信号の信号レベルを監視する際、信号レベルの変化検出の応答速度を低下させ、これにより、無線通信装置に対して送信パワーの増加要求の発行を遅延させることで、携帯端末装置およびこれと近距離無線通信を行う無線通信装置の両装置間距離が離れたときにその旨をユーザに報知したり携帯端末装置の使用制限を行ったりする際の作動距離のばらつきを軽減することができる技術が提案されている（例えば、特許文献５参照）。【００１１】
また、近距離無線通信手段を備えた携帯端末と、当該携帯端末の近距離無線通信手段と相互に通信可能な通信装置と、を備え、通信装置が、携帯端末からの発信に応じて応答信号を当該携帯電話に送信する応答信号送信手段を備えると共に、携帯端末が、当該携帯電話に装備され作動することが制限されている所定の機能の作動を開始する際に近距離無線通信手段を介して通信装置にモニタ信号を発信するモニタ信号発信手段と、このモニタ信号の発信に応じて通信装置から送信される応答信号を受信した場合に所定の機能の作動の制限を解除する機能制限解除手段と、を備えたことで、ユーザの操作負担を抑制しつつ第三者による不正使用を有効に抑制することができる技術が提案されている（例えば、特許文献６参照）。【００１２】
また、スリープ状態では、ヘッドセットは離れた通信装置からの信号を周期的に監視し、この信号が検出されると、無線ヘッドセットは、アクティブ状態に遷移し、これにより、ユーザに十分な機能性をユーザに提供することができる技術が提案されている（例えば、特許文献７参照）。
【特許文献１】特開２００２−３００６５１号公報
【特許文献２】特開２００４−１０２６８２号公報
【特許文献３】特開２００４−２９７２５６号公報
【特許文献４】特開２００５−２３６５７９号公報
【特許文献５】特開２００６−０２０２２６号公報
【特許文献６】特開２００６−０３３０２５号公報
【特許文献７】特開２００３−５２４３４１号公報
【発明の開示】
【発明が解決しようとする課題】
【００１３】
しかしながら、上述した関連技術では、端末にロックを掛けて使用できないようにする際に、通信機能が不使用かどうかの状態を利用しているに過ぎず、その他の状態、例えば、デバイスの本来的な機能が不使用かどうかの状態を利用することが困難であった。【００１４】
本発明は、以上説明した問題点を解決するためになされたものである。その目的は、端末にロックを掛けて使用できないようにする際に、デバイスの本来的な機能が不使用かどうかの状態を利用して他人の不正使用を防げるという安全性をもたらす端末機器、デバイス機器、不正使用防止システム、不正使用防止方法およびプログラムを提供することを目的とする。
【課題を解決するための手段】
【００１５】
かかる目的を達成するために、本発明は、以下の特徴を有することとする。【００１６】
本発明にかかる端末機器は、
デバイス機器とネットワーク接続があり、前記デバイス機器が使用中であればロックされず、前記ネットワーク接続が切断されると、所定の第１の時間後にロックされる端末機器であって、
前記デバイス機器が使用状態にあるかを判定し、前記ネットワーク接続していても、デバイス機器が非使用中なら、前記デバイス機器からの最後の操作信号から所定の第２の時間後にロックされる。【００１７】
また、本発明にかかるデバイス機器は、端末機器とネットワーク接続があり、自機が使用中であれば前記端末機器はロックされず、前記ネットワーク接続が切断されると、前記端末機器は所定の第１の時間後にロックされるデバイス機器であって、
前記端末機器に使用状態にあるかを判定され、前記ネットワーク接続していても、非使用中なら、最後の操作信号から所定の第２の時間後に前記端末機器をロックさせることを特徴とする。【００１８】
また、本発明にかかる不正使用防止システムは、端末機器とデバイス機器とでネットワーク接続があり、前記デバイス機器が使用中であれば前記端末機器はロックされず、前記ネットワーク接続が切断されると、前記端末機器は所定の第１の時間後にロックされる不正使用防止システムであって、
前記端末機器は前記デバイス機器が使用状態にあるかを判定し、前記ネットワーク接続していても、デバイス機器が非使用中なら、前記デバイス機器からの最後の操作信号から所定の第２の時間後に前記端末機器はロックされることを特徴とする。【００１９】
また、本発明にかかる不正使用防止方法は、端末機器とデバイス機器とでネットワーク接続があり、前記デバイス機器が使用中であれば前記端末機器はロックされず、前記ネットワーク接続が切断されると、前記端末機器は所定の第１の時間後にロックされる不正使用防止方法であって、
前記端末機器は前記デバイス機器が使用状態にあるかを判定し、前記ネットワーク接続していても、デバイス機器が非使用中なら、前記デバイス機器からの最後の操作信号から所定の第２の時間後に前記端末機器はロックされることを特徴とする。【００２０】
また、本発明にかかるプログラムは、
デバイス機器とネットワーク接続があり、前記デバイス機器が使用中であればロックされず、前記ネットワーク接続が切断されると、所定の第１の時間後にロックされる端末機器に、前記デバイス機器が使用状態にあるかを判定し、前記ネットワーク接続していても、デバイス機器が非使用中なら、前記デバイス機器からの最後の操作信号から所定の第２の時間後にロックされる処理を実行させることを特徴とする。
【発明の効果】
【００２１】
本発明によれば、端末にロックを掛けて使用できないようにする際に、デバイスの本来的な機能が不使用かどうかの状態を利用して他人の不正使用を防げるという安全性を提供することができる。
【発明を実施するための最良の形態】
【００２２】
以下、本発明の第１の実施の形態について図面を参照して詳細に説明する。図１を参照すると、本実施の形態における不正使用防止システムは、ユーザ端末１０(例えば、携帯電話機)とデバイス機器２０(例えば、ＢＴ搭載ヘッドセット)からなる。【００２３】
ユーザ端末１０は通常の携帯電話機としての構成・機能に加えて、少なくも以下のような構成を持つ。【００２４】
デバイス機器２０は操作制御部２４を含む通常の音楽を聴くためのヘッドセット機能を実現する構成を持つ。【００２５】
ユーザ端末１０とデバイス機器２０とは、それぞれにある近距離無線通信部１１、２１相互間の、ＢＴのような近距離無線で接続され音楽データの送信に使用される。【００２６】
デバイス機器２０はその内部の個体ＩＤ保持部２２にその個体ＩＤを保持し、この通信においては、少なくともユーザ端末１０側は送られたヘッドセットの固有の個体ＩＤを登録デバイスＩＤ保持部１２に登録し、その個体と接続中であるか否かを近距離無線通信部１１において判定することができる。【００２７】
端末ロック制御部１３は、ユーザインタフェース部１４を制御して端末ロックの設定・解除を行う。端末ロックとは、ユーザ端末１０で全ての操作ができなくなるものや、一部機能が使用可能になるもの、あるいは一部データが参照・更新不可能になるものなどの一部または全部を含む。【００２８】
音楽再生制御部１５は携帯内部で音楽処理部１６で処理された音楽を再生し、この音楽データを近距離無線通信部１１に送ってヘッドセットへ送信するためのデータを生成すると共に、現在の再生状態を端末ロック制御部１３に通知する。【００２９】
デバイス機器２０はユーザ端末１０の近距離無線通信部１１から受信した音楽をスピーカ機能部２３から再生する。【００３０】
次に、本実施の形態の動作を図面を参照して詳細に説明する。【００３１】
もともとユーザ端末１０は、その形状が折畳み式である場合、ユーザ端末１０を折畳んで閉じてから例えば、５秒経過したとき、または、最後のボタン操作から不操作状態が例えば、１分継続したときに自動的にロックがかかるようになっている。ただし、デバイス機器２０が使用状態であればこのロックが抑制され、すなわちロックされずに継続して使用することができる。【００３２】
まず、ユーザ端末１０の使用開始時にはＢＴのペアリング設定が行われる。ペアリングではデバイス機器２０の個体ＩＤ保持部２２に保持され、近距離無線通信部２１がその通信メッセージに含めて発するデバイス機器２０の個体ＩＤをユーザ端末１０側の近距離無線通信部１１で受信し、これを登録デバイスＩＤ保持部１２に鍵となるデバイスのＩＤとして保存する。【００３３】
以下では近距離無線通信部１１は、通信の確認の際はその通信に含まれる個体ＩＤが登録デバイスＩＤ保持部１２に保持されたＩＤと一致した場合にのみアクションを行い、一致しない場合はその通信を無視する。【００３４】
図２を参照すると、ユーザ端末１０がアンロック状態にある時にはユーザはユーザ端末１０を操作することができる（Ｓ２０１）。【００３５】
この状態では、ユーザ端末１０は定期的、例えば、１秒ごとに近距離無線通信部１１において登録したデバイス機器２０と通信状態にあるか否かが判定され（Ｓ２０２）、通信状態にないことが検出されると（Ｓ２０２／Ｎｏ）、時間ｔ１(例えば、５秒)後に、ユーザ端末１０では端末ロック制御部１３においてロック起動が行われ（Ｓ２０４）、ユーザインタフェース部１４がロック状態に入ってユーザ端末１０を操作できない状態になる（Ｓ２０５）。なお、通信状態にないことには、デバイス機器２０が最後のボタン押下げ等の操作から所定時間経過後、省電力等のために自動的に電源をＯＦＦにしたことに起因する場合も含む。【００３６】
一方、ＢＴが登録したデバイス機器２０と通信状態である場合（Ｓ２０２／Ｙｅｓ）には、さらに音楽再生制御部１５の状態を参照することによってデバイス機器が使用中であるか否かの判定が行われる（Ｓ２０３）。例えば、デバイス機器２０が使用中であるとはユーザ端末１０で音楽が再生中であり、この音楽データがＢＴによってデバイス機器２０へ送られている状態にある場合などを指す。不使用状態が時間ｔ２(例えば、５分)継続している場合（Ｓ２０３／Ｙｅｓ）は、不使用と判定し、そうでなければ（Ｓ２０３／Ｎｏ）使用中と判断する。使用中であればアンロック状態を継続し、ユーザは携帯を操作できる。【００３７】
デバイス不使用状態が時間ｔ２(例えば、５分)継続している場合は、通信状態にないことが検出された場合と同様に、ユーザ端末１０では端末ロック制御部１３においてロック起動が行われ（Ｓ２０４）、ユーザインタフェース部１４がロック状態にはいってユーザ端末１０を操作できない状態になる（Ｓ２０５）。【００３８】
なお、ｔ３（＜ｔ２、例えば４分）経過後に、ユーザ端末１０からデバイス機器２０に警告メッセージ信号を送り、例えばこれを受けたデバイス機器２０からユーザに「あと１分で切れます」のような音声あるいはＬＥＤの点滅での警告報知が行われてもよい。【００３９】
ロック状態に入ったユーザ端末１０ではなんらかのユーザ認証動作によってロック解除が行われる（Ｓ２０６）。ユーザ認証とは、例えば入力した暗証番号があらかじめ設定したものと一致しているかの確認や、あるいは指紋など入力される生体情報のあらかじめ登録しておいたものとの一致を調べる確認によって行われ、あらかじめ登録した情報と一致したデータを提示したユーザは正規ユーザとしてロックの解除を行い、ユーザ端末１０を使用することができる。【００４０】
本技術を使用することにより、ヘッドセットを使用していないときにユーザ端末１０にロックがかかってしまわないようにヘッドセットの電源を入れておきＢＴ接続状態にしておいたとしても、音楽を再生していないなどヘッドセットの不使用状態がｔ２以上続く場合にはロックがかかることで、ユーザ端末１０とデバイス機器２０を一緒にカバンに入れて持ち歩くなどのケースにおいて一緒に落としたとしてもユーザ端末１０にロックがかかり、他人の不正使用を防げるという安全性を提供することができるという効果がある。【００４１】
次に、本発明の第２の実施の形態について説明する。【００４２】
上述の第１の実施の形態の実装に加えて、図３にあるように、ヘッドセット等であるデバイス機器２０側に頭部に装着されているかの判定機構である頭部装着状態判定部２５を設ける。例えば温度センサなどで、頭部に装着されている場合の体温に近い検知温度と、されていない場合の空気温度の差を利用して装着の有無を調べる。【００４３】
頭部装着状態判定部２５は、頭部に装着されている場合には時間間隔ｔ２より短い間隔で操作制御信号を発し、これは近距離無線通信部２１を介してユーザ端末１０に送られる。【００４４】
これによりユーザ端末１０ではデバイス不使用状態とは判定されないことになり、アンロック状態が継続されることになる。【００４５】
このように頭部に装着されているか否かの情報をデバイス機器２０側で取得しユーザ端末１０側でロック起動の有無の判定に利用することにより、音楽をたまたま長時間にわたって再生していないなどデバイス機器２０が不使用状態にあるとしても、頭部に装着されている限りロックは抑制され、ユーザはユーザ端末１０の使用を継続できるという利便性を提供できる。一方デバイス機器２０を頭部から外し、ユーザ端末１０とデバイス機器２０を一緒にカバンに入れて持ち歩くなどのケースにおいては装着状態にないため不使用状態と判定され、先の実施の形態と同様に一緒に落としたとしてもユーザ端末１０にロックがかかり、他人の不正使用を防げるという安全性を提供することができるという効果がある。【００４６】
なお、上述する各実施の形態は、本発明の好適な実施の形態であり、本発明の要旨を逸脱しない範囲内において種々変更実施が可能である。例えば、ユーザ端末１０およびデバイス機器２０の機能を実現するためのプログラムを各装置に読込ませて実行することにより各装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。【００４７】
なお、この出願は、２００６年９月１５日に出願した、日本特許出願番号２００６−２５１１３９号を基礎とする優先権を主張し、その開示の全てをここに取り込む。
【産業上の利用可能性】
【００４８】
本発明にかかる端末機器、デバイス機器、不正使用防止システム、不正使用防止方法およびプログラムは、携帯型情報処理機器一般にも適用可能である。
【図面の簡単な説明】
【００４９】
【図１】本発明の第１の実施の形態における不正使用防止システムの構成を示す図である。
【図２】本発明の第１の実施の形態における処理動作を示すフロー図である。
【図３】本発明の第２の実施の形態における不正使用防止システムの構成を示す図である。
【符号の説明】
【００５０】
１０    ユーザ端末
１１    近距離無線通信部
１２    登録デバイスＩＤ保持部
１３    端末ロック制御部
１４    ユーザインタフェース部
１５    音楽再生制御部
１６    音楽処理部
２０    デバイス機器
２１    近距離無線通信部
２２    個体ＩＤ保持部
２３    スピーカ機能部
２４    操作制御部
【図１】
2008032493.tif 000003
【図２】
2008032493.tif 000004
【図３】
2008032493.tif 000005
【手続補正書】
【提出日】平成21年6月3日(2009.6.3)
【手続補正１】
【補正対象書類名】特許請求の範囲
【補正対象項目名】全文
【補正方法】変更
【補正の内容】
【特許請求の範囲】
【請求項１】
デバイス機器とネットワーク接続があり、前記デバイス機器が使用中であればロックされず、前記ネットワーク接続が切断されると、所定の第１の時間後にロックされる端末機器であって、
前記デバイス機器が使用状態にあるかを判定し、前記ネットワーク接続していても、デバイス機器が非使用中なら、前記デバイス機器からの最後の操作信号から所定の第２の時間後にロックされることを特徴とする端末機器。
【請求項２】
前記所定の第２の時間よりも短い所定の第３の時間の経過後に、前記デバイス機器にロック予告の報知信号を送信することを特徴とする請求項１記載の端末機器。
【請求項３】
自機の使用に向けての準備状態にあるか否かの判定手段を備える前記デバイス機器から、準備状態にあるときに前記所定の第２の時間よりも短い所定の第４の時間の経過後に、ロックを抑制する制御信号を受け取り、ロックが抑制されることを特徴とする請求項１または２記載の端末機器。
【請求項４】
端末機器とネットワーク接続があり、自機が使用中であれば前記端末機器はロックされず、前記ネットワーク接続が切断されると、前記端末機器は所定の第１の時間後にロックされるデバイス機器であって、
前記端末機器に使用状態にあるかを判定され、前記前記ネットワーク接続していても、非使用中なら、最後の操作信号から所定の第２の時間後に前記端末機器をロックさせることを特徴とするデバイス機器。
【請求項５】
前記所定の第２の時間よりも短い所定の第３の時間の経過後に、前記端末機器からロック予告の報知信号を受信し、ユーザにロック予告を報知することを特徴とする請求項４記載のデバイス機器。
【請求項６】
自機の使用に向けての準備状態にあるか否かの判定手段を備え、準備状態にあれば前記所定の第２の時間よりも短い所定の第４の時間の経過後に、前記端末機器へロックを抑制する制御信号を送ることを特徴とする請求項４または５記載のデバイス機器。
【請求項７】
端末機器とデバイス機器とでネットワーク接続があり、前記デバイス機器が使用中であれば前記端末機器はロックされず、前記ネットワーク接続が切断されると、前記端末機器は所定の第１の時間後にロックされる不正使用防止システムであって、
前記端末機器は前記デバイス機器が使用状態にあるかを判定し、前記ネットワーク接続していても、デバイス機器が非使用中なら、前記デバイス機器からの最後の操作信号から所定の第２の時間後に前記端末機器はロックされることを特徴とする不正使用防止システム。
【請求項８】
前記所定の第２の時間よりも短い所定の第３の時間の経過後に、前記デバイス機器は前記端末機器からロック予告の報知信号を受信し、ユーザにロック予告を報知することを特徴とする請求項７記載の不正使用防止システム。
【請求項９】
前記デバイス機器は、自機の使用に向けての準備状態にあるか否かの判定手段を備え、準備状態にあれば前記所定の第２の時間よりも短い所定の第４の時間の経過後に、前記端末機器へロックを抑制する制御信号を送ることを特徴とする請求項７または８記載の不正使用防止システム。
【請求項１０】
端末機器とデバイス機器とでネットワーク接続があり、前記デバイス機器が使用中であれば前記端末機器はロックされず、前記ネットワーク接続が切断されると、前記端末機器は所定の第１の時間後にロックされる不正使用防止方法であって、
前記端末機器は前記デバイス機器が使用状態にあるかを判定し、前記ネットワーク接続していても、デバイス機器が非使用中なら、前記デバイス機器からの最後の操作信号から所定の第２の時間後に前記端末機器はロックされることを特徴とする不正使用防止方法。
【請求項１１】
前記所定の第２の時間よりも短い所定の第３の時間の経過後に、前記デバイス機器は前記端末機器からロック予告の報知信号を受信し、ユーザにロック予告を報知することを特徴とする請求項１０記載の不正使用防止方法。
【請求項１２】
前記デバイス機器は、自機の使用に向けての準備状態にあるか否かの判定手段を備え、準備状態にあれば前記所定の第２の時間よりも短い所定の第４の時間の経過後に、前記端末機器へロックを抑制する制御信号を送ることを特徴とする請求項１０または１１記載の不正使用防止方法。
【請求項１３】
デバイス機器とネットワーク接続があり、前記デバイス機器が使用中であればロックされず、前記ネットワーク接続が切断されると、所定の第１の時間後にロックされる端末機器に、前記デバイス機器が使用状態にあるかを判定し、前記ネットワーク接続していても、デバイス機器が非使用中なら、前記デバイス機器からの最後の操作信号から所定の第２の時間後にロックされる処理を実行させることを特徴とするプログラム。
【請求項１４】
前記所定の第２の時間よりも短い所定の第３の時間の経過後に、前記デバイス機器にロック予告の報知信号を送信する処理を実行させることを特徴とする請求項１３記載のプログラム。
【請求項１５】
自機の使用に向けての準備状態にあるか否かの判定手段を備える前記デバイス機器から、準備状態にあるときに前記所定の第２の時間よりも短い所定の第４の時間の経過後に、ロックを抑制する制御信号を受け取り、ロックが抑制される処理を実行させることを特徴とする請求項１３または１４記載のプログラム。
【請求項１６】
端末機器とネットワーク接続があり、自機が使用中であれば前記端末機器はロックされず、前記ネットワーク接続が切断されると、前記端末機器は所定の第１の時間後にロックされるデバイス機器に、前記端末機器に使用状態にあるかを判定され、前記前記ネットワーク接続していても、非使用中なら、最後の操作信号から所定の第２の時間後に前記端末機器をロックさせる処理を実行させることを特徴とするプログラム。
【請求項１７】
前記所定の第２の時間よりも短い所定の第３の時間の経過後に、前記端末機器からロック予告の報知信号を受信し、ユーザにロック予告を報知する処理を実行させることを特徴とする請求項１６記載のプログラム。
【請求項１８】
自機の使用に向けての準備状態にあるか否かの判定手段を備え、準備状態にあれば前記所定の第２の時間よりも短い所定の第４の時間の経過後に、前記端末機器へロックを抑制する制御信号を送る処理を実行させることを特徴とする請求項１６または１７記載のプログラム。
【国際調査報告】
2008032493.tif 000006
2008032493.tif 000007
2008032493.tif 000008
2008032493.tif 000009
2008032493.tif 000010
2008032493.tif 000011